(57)【要約】【課題】作業性が悪いような部位に対しても容易に取り付けおよびハーネスの緊締ができ、余長部の周辺部品との干渉を回避でき、かつ、ハーネスの本数・直径の違いによるバンド長さの差異に対応できるハーネス用のバンドクリップを提供する。【解決手段】複数本のハーネス（３）を束ねて緊締する可撓性帯状のバンド（５）と、被取付部材（２）に取り付ける取付基部（４）とで構成し、バンド（５）には多数の係止溝（５ａ）を刻設し、取付基部（４）にはバンド（５）の一端を挿入し任意位置にてバンドの係止溝（５ａ）に係合することができる係止爪（９）を設けたバンド係止部（１１、１２）を複数ヶ所に設ける。【選択図】図１
2010151227.tif 000002
【特許請求の範囲】
【請求項１】
ハーネス、配管、あるいはケーブルを配索するに際してこれらを複数本束ねて被取付部材に取り付けるバンドクリップにおいて、該バンドクリップは、複数本のハーネス、配管、あるいはケーブルを束ねて緊締する可撓性帯状のバンドと、被取付部材に取り付ける取付基部とで構成し、前記バンドには多数の係止溝を刻設し、そして前記取付基部には前記バンドの一端を挿入し任意位置にてバンドの係止溝に係合することができる係止爪を設けたバンド係止部を複数ヶ所に設けていることを特徴とするバンドクリップ。
【請求項２】
前記バンド係止部の一つが取付基部のハーネス等の緊締側の一端から延びる可撓性帯状のバンド部の先端に設けられている請求項１に記載のバンドクリップ。
【請求項３】
前記バンド係止部の一つが取付基部のハーネス等の緊締側から被取付部材への取付脚部までを貫通した挿通孔を穿設してその挿通部に係止爪を設けたものである請求項１に記載のバンドクリップ。
【請求項４】
第１のバンド係止部が取付基部のハーネス等の緊締側の一端から延びる可撓性帯状のバンド部の先端に設けられ、第２の係止部が取付基部のハーネス等の緊締側から被取付部材への取付脚部までを貫通した挿通孔を穿設してその挿通部に係止爪を設けたものである請求項１に記載のバンドクリップ。
【発明の詳細な説明】
【技術分野】
【０００１】
本発明は、例えば自動車等において、ハーネス、配管、あるいはケーブルを配索するに際し、これらを複数本を束ねてフレーム等の取付部材にクランプするのに用いるバンドクリップに関する。
【背景技術】
【０００２】
自動車等において、ハーネス、配管、あるいはケーブル（以下、これらはすべて均等物であるからハーネスとして説明する）を、例えばフレームに沿って配索するような場合に、複数のハーネスを可撓性のバンドで束ねて適宜フレームにクランプしている。
【０００３】
このような目的に使用するバンドクリップとして、図８および９に示すものが提案されている（特許文献１参照）。このバンドクリップ１Ａでは、取付基部１４先端の取付脚部６がフレーム２に穿設された取付孔２ａに挿通されて該クリップが係止されており、この取付基部１４の他端部にはバンド部１５の一端が一体的に形成されている。そして、このバンド部１５には、多数の係止溝５ａが刻設されており、また、取付基部１４には、バンド部１５の一端が挿入される挿通孔７が穿設され、その挿通孔７の入口部には、バンド部の係止溝５ａと係合する係止爪９が形成されている。
【０００４】
上記構成のバンドクリップ１Ａにおいては、バンド部１５が複数のハーネス３の外周を一巻きしてその先端が取付基部１４の挿通孔７に挿入され、取り付けられるフレーム２の対向側からその先端を（Ｘ方向に）引っ張ることでハーネス３が緊締され、係止爪９が係止溝５ａに係合してハーネス３のクランプが行われる。
【０００５】
次に、図１０にバンドクリップの他の例を示す。このバンドクリップ１Ｂでは、取付基部１４Ａの取付対向側端部にバンド部１５Ａが直角方向に延設され、このバンド部１５Ａには係止溝が刻設されている。そして、このバンド部１５Ａの対向方向に延びるバンド部１５Ｂの先端には、係止爪を設けた係止部１１が形成されている。こうして、バンド部１５Ａが係止部１１に挿入されハーネス３が緊締されている。図１０において点線１５ｘはハーネス３を緊締する前の状態を示している。
【０００６】
上記の従来例では、いずれも取付基部とバンド部とが一体に形成されており、したがって、ハーネスの緊締に際し、バンド部先端の掴んで引っ張る方向（Ｘ）が規定されてしまい、該部処に障害物等が存在する場合（図１０）や閉塞部位（図８）では、作業困難であったり、あるいはバンドの余長部が周辺部品と干渉し、車両振動等によって摩滅させる恐れもある。
また、緊締するハーネスの数や直径によってバンド部の長さを被取付部材の孔径や板厚によって取付脚部の形状を周辺部品との兼ね合いで取付基部の構造を考慮したハンドクリップを選定する必要があり、選定作業が煩雑である。
【特許文献１】特開２００４−３０１２６６号公報
【発明の開示】
【発明が解決しようとする課題】
【０００７】
本発明は、上記従来技術における問題点を鑑みて障害物が存在したり、あるいは閉塞部位のためバンドの締結に際して作業性が悪いような部位に対しても容易にバンドクリップの取り付けおよびバンドによるハーネスの緊締ができ、バンドの余長部が周辺部品と干渉するのを回避でき、しかもハーネスの本数・直径の違いによるバンド長さの差異に容易に対応できるハーネス用のバンドクリップの提供を目的としている。
【課題を解決するための手段】
【０００８】
本発明によれば、ハーネス、配管、あるいはケーブル（３）を配索するに際してこれらを複数本束ねて被取付部材（例えば、フレーム）２に取り付けるバンドクリップ１において、該バンドクリップ（１）は、複数本のハーネス、配管、あるいはケーブル（３）を束ねて緊締する可撓性帯状のバンド（５）と、被取付部材（２）に取り付ける取付基部（４）とで構成し、前記バンド（５）には多数の係止溝（５ａ）を刻設し、そして前記取付基部４には前記バンド（５）の一端を挿入し任意位置にてバンドの係止溝（５ａ）に係合することができる係止爪（９）を設けたバンド係止部（１１、１２）を複数ヶ所に設けている。
【０００９】
また、前記バンド係止部の一つ（１１）が取付基部（４）のハーネス等（３）の緊締側の一端から延びる可撓性帯状のバンド部（４ｂ）の先端に設けられている。
【００１０】
そして、前記バンド係止部の一つ１２が取付基部（４）のハーネス等（３）の緊締側から被取付部材（２）への取付脚部（６）までを貫通した挿通孔（７）を穿設してその挿通部に係止爪９を設けたものである。
【００１１】
あるいは、第１のバンド係止部１１が取付基部４のハーネス３の緊締側の一端から延びる可撓性帯状のバンド部４ｂの先端に設けられ、第２の係止部１２が取付基部４のハーネス等３の緊締側から被取付部材２への取付脚部６までを貫通した挿通孔７を穿設してその入口部に係止爪９を設けたものである。
【発明の効果】
【００１２】
上記の構成による本発明によれば、バンドと取付基部とが別体で構成され、バンドの両端部がそれぞれ別のバンド係止部に挿入されてハーネス等の緊締に際し、バンドを緊張する端部を選択することができるので、作業性が向上し、かつバンドの余長部を調整することで短くし、周辺部品との干渉を防止できる。
また、緊締するハーネスの本数・直径の違いや、被取付部材の孔径や板厚の違いに対し、適切なバンドと取付基部をそれぞれ用意するだけでよくクリップ選定作業の簡素化が図れる。
【発明を実施するための最良の形態】
【００１３】
以下、添付図面を参照して本発明の実施形態を説明する。
図１に示すように、本発明のクリップバンド１は、複数本のハーネス３を束ねて緊締する可撓性帯状のバンド５と、フレーム２に取り付けて前記バンド５を保持する取付基部４とで構成されている。
【００１４】
バンド５は、図４に示すように、複数のハーネス３・・・を緊締するのに要する長さの可撓性帯状に形成され、その一方の面には、多数の係止溝５ａが刻設され、後記する係合爪９がその任意位置で係合できるようになっている。
また、取付基部４は、図２、３に示すように、倒立した台形状に形成された本体部４ａの先端部に、フレーム２の取付孔２ａに挿通される取付脚部６が形成されており、その取付脚部６にはフレームの取付孔２ａに挿入時にフレーム２に係合するストッパ８が形成されている。なお、符号１０は、フレーム２に当接する押さえ片であり、この押さえ片１０と前記ストッパ８とによってクリップバンド１が安定してフレーム２に係止される。
【００１５】
そして、前記本体部４ａの取付脚部６の対向側（ハーネス緊締側）上端部には、取り付け方向の直角方向に取付けられた可撓性帯状のバンド部４ｂが一体的に形成されており、その先端部には、前記バンドの係止溝５ａと係合する係合爪９を有する第１のバンド係止部１１が形成されている。この係合爪９は、バンド５の挿入方向に対してフリーで、抜け出し方向に対して係止する一方向に作用するように形成されている。
【００１６】
また、本体部４ａのハーネス緊締側の上端面には、前記バンド部４ｂの対向方向に偏心しバンド５を挿入する挿通孔７が取付脚部６の先端まで貫通して穿設されており、その挿通部には係止爪９が設けられて第２のバンド係止部１２が形成されている。
【００１７】
上記の構成により、図１に示しているように、複数本のハーネス３・・・を束ねてバンド５の両端をそれぞれ第１、第２のバンド係止部１１、１２に挿入し、バンド５の何れかの端部を引っ張ることでハーネス３が緊締され、係止爪９と係止溝５ａとの係合によってバンド５が係止される。このように第１および第２のバンド係止部１１、１２を設けることでバンド５の引張り方向が２方向となり、緊締作業が容易となる。
【００１８】
バンド５は、緊締するハーネス３の本数・直径により、適する長さのものを選択するが、図５に示すように、長いバンド５Ａをロール状にし、必要な長さに切って使用するようにしてもよい。また、バンド５を長さ毎で異なる色を設定することで、ラインでの作業性を改善できる。
【００１９】
図６は平板状のフレーム２に本発明を実施した２つの取付基部４を用いてハーネス３を緊締した使用例を示している。フレーム２の離れた位置に２つの取付基部４を取付け、一方の取付基部のバンド係止部１１にハーネス３を囲むように他方の取付基部４からのバンド５を緊締した例である。ハーネス３は一方の取付基部４のバンド係止部１１と他方の取付基部４のバンド係止部１２とによって係止されている。この例では他方の取付基部のバンド係止部１１は不用のものとなっている。
【００２０】
図７はほぼ直角に曲折されたフレーム２Ａのコーナ部にハーネス３を緊締した例である。一方の取付基部４を底部のフレームに取付け、他方の取付基部４を折り曲げた壁部のフレームに取付け、図６の場合と同様にハーネス３を緊締したものである。
このように本発明は２つの取付基部を用いて種々の使用例が可能である。
尚、図１〜図７の実施形態のように、バンドクリップで同一種類（本実施形態では、ハーネス）を複数本束ねても良いし、異なる種類（例えば、ハーネスと配管など）を複数本束ねても良い。
【図面の簡単な説明】
【００２１】
【図１】本発明によるクリップバンドを示す図。
【図２】本発明の実施例によるクリップバンドの取付基部を示す上面図。
【図３】図２の側面図。
【図４】本発明の実施例によるクリップバンドのバンドを示す図。
【図５】バンドをロール状にした実施形態を示す図。
【図６】２個の取付基部を用いた実施形態を示す図。
【図７】２個の取付基部を用いた別の実施形態を示す図。
【図８】従来のクリップバンドの一例を示す正面図。
【図９】図８の側面図。
【図１０】従来のクリップバンドの他の例を示す正面図。
【符号の説明】
【００２２】
１・・・バンドクリップ
２・・・フレーム
３・・・ハーネス
４・・・取付基部
５・・・バンド
６・・・取付脚部
７・・・挿通孔
９・・・係合爪
１１、１２・・・バンド係止部
【図１】
2010151227.tif 000003
【図２】
2010151227.tif 000004
【図３】
2010151227.tif 000005
【図４】
2010151227.tif 000006
【図５】
2010151227.tif 000007
【図６】
2010151227.tif 000008
【図７】
2010151227.tif 000009
【図８】
2010151227.tif 000010
【図９】
2010151227.tif 000011
【図１０】
2010151227.tif 000012